(57)【要約】【課題】  本発明は、食器洗浄乾燥装置における加熱乾燥工程の送風制御を行うことにより、ユーザに対する不快感を無くす食器洗浄乾燥装置および食器洗浄乾燥制御方法に関するものである。【解決手段】  本発明の食器洗浄乾燥装置は、食器等を庫内に入れた後、洗い、すすぎ、加熱乾燥をシーケンス制御によって処理する。前記食器洗浄乾燥装置は、水を洗浄槽内に供給するように制御する給水弁と、前記洗浄槽内の水および空気を加熱する加熱手段と、前記洗浄槽内の温度検出手段と、前記洗浄槽内を加熱乾燥する加熱乾燥手段と、前記洗浄槽内へ空気を送る送風手段と、前記送風手段を制御する送風制御手段とから少なくとも構成されている。前記送風制御手段は、前記加熱乾燥手段による加熱乾燥の開始から終了まで前記送風手段を断続的に動作させるとともに、時間の経過とともに前記動作時間を徐々に長く制御する。【選択図】    図１
2006110151.tif 000002
【特許請求の範囲】
【請求項１】
洗い、すすぎ、加熱乾燥をシーケンス制御により処理することができる食器洗浄乾燥装置において、
前記洗いおよび／またはすすぎを行うための水を洗浄槽内へ供給するように制御する給水弁と、
前記洗浄槽内の水および空気を加熱する加熱手段と、
前記洗浄槽内の水および空気の温度を検出する温度検出手段と、
前記洗浄槽内を加熱乾燥する加熱乾燥手段と、
前記洗浄槽内へ空気を送る送風手段と、
前記加熱乾燥手段による加熱乾燥の開始から終了まで前記送風手段を断続的に動作させるとともに、時間の経過とともに前記動作時間を徐々に長くする送風制御手段と、
を少なくとも備えていることを特徴とする食器洗浄乾燥装置。
【請求項２】
洗い、すすぎ、加熱乾燥をシーケンス制御により処理することができる食器洗浄乾燥装置において、
前記洗いおよび／またはすすぎを行うための水を洗浄槽内へ供給するように制御する給水弁と、
前記洗浄槽内の水および空気を加熱する加熱手段と、
前記洗浄槽内の水および空気の温度を検出する温度検出手段と、
前記洗浄槽内を加熱乾燥する加熱乾燥手段と、
前記洗浄槽内へ空気を送る送風手段と、
前記加熱乾燥手段による加熱乾燥の開始から終了まで前記送風手段を断続的に動作させるとともに、一定の温度に到達するまで、前記動作時間を徐々に長くする送風制御手段と、
を少なくとも備えていることを特徴とする食器洗浄乾燥装置。
【請求項３】
洗い、すすぎ、加熱乾燥をシーケンス制御により処理することができる食器洗浄乾燥装置において、
前記洗いおよび／またはすすぎを行うための水を洗浄槽内へ供給するように制御する給水弁と、
前記洗浄槽内の水および空気を加熱する加熱手段と、
前記洗浄槽内の水および空気の温度を検出する温度検出手段と、
前記洗浄槽内を加熱乾燥する加熱乾燥手段と、
前記洗浄槽内へ空気を送る送風手段と、
前記加熱乾燥手段による加熱乾燥の開始から終了まで前記送風手段を断続的に動作させるとともに、一定の温度に到達するまで、前記動作時間を徐々に長くし、前記一定の温度に到達した後、連続的に動作する送風制御手段と、
を少なくとも備えていることを特徴とする食器洗浄乾燥装置。
【請求項４】
洗い、すすぎ、加熱乾燥をシーケンス制御により処理することができる食器洗浄乾燥装置において、
前記洗いおよび／またはすすぎを行うための水を洗浄槽内へ供給するように制御する給水弁と、
前記洗浄槽内の水および空気を加熱する加熱手段と、
前記洗浄槽内の水および空気の温度を検出する温度検出手段と、
前記洗浄槽内を加熱乾燥する加熱乾燥手段と、
前記洗浄槽内へ空気を送る送風手段と、
前記加熱乾燥手段による加熱乾燥の開始から終了まで前記送風手段を断続的に動作させるとともに、一定の時間が経過するまで、前記動作時間を徐々に長くし、前記一定時間経過後、連続的に動作する送風制御手段と、
を少なくとも備えていることを特徴とする食器洗浄乾燥装置。
【請求項５】
前記送風手段は、位相制御により回転を制御することで送風量を制御するファンモータを使用することを特徴とする請求項１から請求項４のいずれか１項に記載された食器洗浄乾燥装置。
【請求項６】
洗い工程と、すすぎ工程と、加熱乾燥工程とを少なくとも有し、これらの工程をシーケンス制御により処理する食器洗浄乾燥制御方法において、
洗浄槽内へ水を供給する給水弁を制御するとともに、前記水および空気を加熱制御する食器等の洗いおよび／またはすすぎ工程と、
前記洗浄槽内の空気の温度を加熱するとともに、加熱乾燥開始から終了まで送風手段を断続的に動作させ、時間の経過とともに徐々に動作時間を長くするように送風手段を制御する加熱乾燥工程と、
を少なくとも備えていることを特徴とする食器洗浄乾燥制御方法。
【請求項７】
洗い工程と、すすぎ工程と、加熱乾燥工程とを少なくとも有し、これらの工程をシーケンス制御により処理する食器洗浄乾燥制御方法において、
洗浄槽内へ水を供給する給水弁を制御するとともに、前記水および空気を加熱制御する食器等の洗いおよび／またはすすぎ工程と、
前記洗浄槽内の空気の温度を加熱するとともに、加熱乾燥開始から終了まで送風手段を断続的に動作させ、時間の経過とともに徐々に動作時間を長くし、所定の時間の経過または所定の温度に到達した以後、連続的に送風するように送風手段を制御する加熱乾燥工程と、
を少なくとも備えていることを特徴とする食器洗浄乾燥制御方法。
【発明の詳細な説明】
【技術分野】
【０００１】
本発明は、食器洗浄乾燥装置における加熱乾燥工程の送風制御を行うことにより、湯気の排出によるユーザに対する不快感を無くす食器洗浄乾燥装置および食器洗浄乾燥制御方法に関するものである。
【背景技術】
【０００２】
従来の食器洗浄乾燥装置におけるシーケンス制御は、主に、洗浄、すすぎ、乾燥の各工程から構成される。前記洗浄工程は、予洗い工程と、本洗い工程とからなり、予洗い工程で大まかな汚れを落とした後、本洗い工程で食器類を清浄にする。次のすすぎ工程は、水すすぎ工程と湯すすぎ工程とからなり、水すすぎ工程の後、湯すすぎ工程を行うことにより、食器類に付着した汚れおよび／または洗剤を除去する。
【０００３】
最後の乾燥工程は、食器類の加熱乾燥を行うため、加熱手段および送風手段からなる。前記加熱手段は、庫内の空気の温度を上昇させ、前記送風手段は、庫外の空気を吸気し、庫内における湿度の高い空気を庫外へ排出させる。前記食器洗浄乾燥装置は、前記加熱手段および送風手段により、効率良く食器類を乾燥させる。
【０００４】
たとえば、特開２００１−２５８８１７号公報に記載された食器乾燥装置は、食器収納室内の下部に、水分を十分に吸収した空気を排出する排気口を設ける。外気は、送風ファンにより取り込まれ、ヒータにより加熱され、暖かく乾燥した空気となり、吸気通路および吸気口を通って食器収納室に供給される。食器収納室に供給された空気は、食器収納室の上方に移動し滞留して、水分を十分に吸収するとともに、次第に温度が低下し、湿った冷たい空気となって、食器収納室の下方に降下する。加熱された新しい乾いた暖かい空気が食器収納室内に次々に供給されると、食器収納室内の上部に滞留した空気が降下し、下部に滞留した飽和空気が排気口から排出される。
【特許文献１】特開２００１−２５８８１７号公報
【発明の開示】
【発明が解決しようとする課題】
【０００５】
前記従来の食器乾燥装置は、洗い工程およびすすぎ工程を終了した後、すすぎ湯を排出し、加熱乾燥工程に移行する。しかし、前記すすぎ工程で発生した湯気は、庫内に残されたままである。加熱乾燥工程は、加熱手段により暖められた空気を庫内に循環させると同時に、送風手段により、一定の風量で庫外の空気を吸気し、庫内における湿度の高い空気を庫外に排出させる。しかし、前記加熱乾燥工程の開始した直後の湿気を含んだ空気は、排気口から排出されると、ユーザにとって不快感を与えてしまう。
【０００６】
以上のような課題を解決するために、本発明は、加熱乾燥工程において、庫内に多くの湿気を含む湯気が残されている間、風量を抑えて徐々に排出するように制御し、庫内に湿気が少なくなった時点で、一気に乾燥した空気を排気する食器洗浄乾燥装置および食器洗浄乾燥制御方法を提供することを目的とする。
【課題を解決するための手段】
【０００７】
（第１発明）
第１発明の食器洗浄乾燥装置は、洗い、すすぎ、加熱乾燥をシーケンス制御により処理することができ、前記洗いおよび／またはすすぎを行うための水を洗浄槽内へ供給するように制御する給水弁と、前記洗浄槽内の水および空気を加熱する加熱手段と、前記洗浄槽内の水および空気の温度を検出する温度検出手段と、前記洗浄槽内を加熱乾燥する加熱乾燥手段と、前記洗浄槽内へ空気を送る送風手段と、前記加熱乾燥手段による加熱乾燥の開始から終了まで前記送風手段を断続的に動作させるとともに、時間の経過とともに前記動作時間を徐々に長くする送風制御手段とを少なくとも備えていることを特徴とする。
【０００８】
（第２発明）
第２発明の食器洗浄乾燥装置は、洗い、すすぎ、加熱乾燥をシーケンス制御により処理することができ、前記洗いおよび／またはすすぎを行うための水を洗浄槽内へ供給するように制御する給水弁と、前記洗浄槽内の水および空気を加熱する加熱手段と、前記洗浄槽内の水および空気の温度を検出する温度検出手段と、前記洗浄槽内を加熱乾燥する加熱乾燥手段と、前記洗浄槽内へ空気を送る送風手段と、前記加熱乾燥手段による加熱乾燥の開始から終了まで前記送風手段を断続的に動作させるとともに、一定の温度に到達するまで、前記動作時間を徐々に長くする送風制御手段とを少なくとも備えていることを特徴とする。
【０００９】
（第３発明）
第３発明の食器洗浄乾燥装置は、洗い、すすぎ、加熱乾燥をシーケンス制御により処理することができ、前記洗いおよび／またはすすぎを行うための水を洗浄槽内へ供給するように制御する給水弁と、前記洗浄槽内の水および空気を加熱する加熱手段と、前記洗浄槽内の水および空気の温度を検出する温度検出手段と、前記洗浄槽内を加熱乾燥する加熱乾燥手段と、前記洗浄槽内へ空気を送る送風手段と、前記加熱乾燥手段による加熱乾燥の開始から終了まで前記送風手段を断続的に動作させるとともに、一定の温度に到達するまで、前記動作時間を徐々に長くし、前記一定の温度に到達した後、連続的に動作する送風制御手段とを少なくとも備えていることを特徴とする。
【００１０】
（第４発明）
第４発明の食器洗浄乾燥装置は、洗い、すすぎ、加熱乾燥をシーケンス制御により処理することができ、前記洗いおよび／またはすすぎを行うための水を洗浄槽内へ供給するように制御する給水弁と、前記洗浄槽内の水および空気を加熱する加熱手段と、前記洗浄槽内の水および空気の温度を検出する温度検出手段と、
前記洗浄槽内を加熱乾燥する加熱乾燥手段と、前記洗浄槽内へ空気を送る送風手段と、前記加熱乾燥手段による加熱乾燥の開始から終了まで前記送風手段を断続的に動作させるとともに、一定の時間が経過するまで、前記動作時間を徐々に長くし、前記一定時間経過後、連続的に動作する送風制御手段とを少なくとも備えていることを特徴とする。
【００１１】
（第５発明）
第５発明の食器洗浄乾燥装置は、第１発明から第４発明の送風手段が位相制御により回転を制御することで送風量を制御するファンモータを使用することを特徴とする。
【００１２】
（第６発明）
第６発明の食器洗浄乾燥制御方法は、洗い工程と、すすぎ工程と、加熱乾燥工程とを少なくとも有し、これらの工程をシーケンス制御により処理するものであり、洗浄槽内へ水を供給する給水弁を制御するとともに、前記水および空気を加熱制御する食器等の洗いおよび／またはすすぎ工程と、前記洗浄槽内の空気の温度を加熱するとともに、加熱乾燥開始から終了まで送風手段を断続的に動作させ、時間の経過とともに徐々に動作時間を長くするように送風手段を制御する加熱乾燥工程とを少なくとも備えていることを特徴とする。
【００１３】
（第７発明）
第７発明の食器洗浄乾燥制御方法は、洗い工程と、すすぎ工程と、加熱乾燥工程とを少なくとも有し、これらの工程をシーケンス制御により処理するものであり、洗浄槽内へ水を供給する給水弁を制御するとともに、前記水および空気を加熱制御する食器等の洗いおよび／またはすすぎ工程と、前記洗浄槽内の空気の温度を加熱するとともに、加熱乾燥開始から終了まで送風手段を断続的に動作させ、時間の経過とともに徐々に動作時間を長くし、所定の時間の経過または所定の温度に到達した以後、連続的に送風するように送風手段を制御する加熱乾燥工程とを少なくとも備えていることを特徴とする。
【発明の効果】
【００１４】
本発明によれば、送風制御手段が加熱乾燥手段による加熱乾燥の開始から終了まで前記送風手段を断続的に動作させるとともに、時間の経過とともに前記動作時間を徐々に長く制御することにより、庫内における湿度の高い湯気を少なく排出し、所定の時間経過、あるいは所定の温度に到達した後、湿度の低い空気を庫外に勢い良く出して、ユーザに不快感を与えることがないようにする。
【００１５】
本発明によれば、送風制御手段が加熱乾燥手段による加熱乾燥の開始から終了まで前記送風手段を断続的に動作させるとともに、時間の経過とともに前記動作時間を徐々に長く制御することにより、庫内における湿度の高い湯気を少なく排出し、所定の時間経過、あるいは所定の温度に到達以後、前記動作時間を継続するように制御して、湿度の低い空気を庫外に勢い良く出して、ユーザに不快感を与えることがないようにする。
【００１６】
本発明によれば、加熱乾燥工程において、湯気が庫内に残されているタイミングで風量を抑えて排出するように制御し、庫内にある湯気を徐々に庫外に排出し、湿度が低下したタイミングで空気を一気に排出させて、ユーザに不快感を与えないようにする。
【発明を実施するための最良の形態】
【００１７】
（第１発明）
第１発明の食器洗浄乾燥装置は、食器等を庫内に入れた後、洗い（予洗い、本洗い）、すすぎ（水すすぎ、湯すすぎ）、加熱乾燥をシーケンス制御によって処理することができる。また、第１発明の食器洗浄乾燥装置は、洗い、すすぎ、加熱乾燥の内の少なくとも一つを選択して処理することもできる。前記食器洗浄乾燥装置は、前記処理を行うために、前記洗いおよび／またはすすぎを行う水を洗浄槽内に供給するように制御する給水弁と、前記洗浄槽内の水および空気を所定の温度で加熱する加熱手段と、前記洗浄槽内の水および空気の温度を検出する温度検出手段と、前記洗浄槽内を加熱乾燥する加熱乾燥手段と、前記洗浄槽内へ空気を送る送風手段と、前記送風手段を制御する送風制御手段とから少なくとも構成されている。前記洗いとすすぎは、両方またはいずれか一方にすることもできる。
【００１８】
前記送風制御手段は、前記加熱乾燥手段による加熱乾燥の開始から終了まで前記送風手段を断続的に動作させるとともに、時間の経過とともに前記動作時間を徐々に長く制御する。食器洗浄乾燥装置は、庫内における湿度が高い場合であっても、前記送風手段の動作時間が短いため、湯気を庫外に勢い良く出して、ユーザに不快感を与えることがない。
【００１９】
（第２発明）
第２発明の食器洗浄乾燥装置は、送風制御手段が第１発明と異なっている。すなわち、第２発明の送風制御手段は、加熱乾燥手段による加熱乾燥の開始から終了まで前記送風手段を断続的に動作させるとともに、一定の温度に到達するまで、前記動作時間を徐々に長くする。第１発明が一定の時間に到達するまで、断続的動作が徐々に長くなるのに対して、第２発明は、一定の温度に到達するまで、断続的動作が徐々に長くなる。第２発明の食器洗浄乾燥装置は、庫内の加熱乾燥を温度が一定の温度に到達するまで、湯気を一気に排出せずに徐々に行う。
【００２０】
（第３発明）
第３発明の食器洗浄乾燥装置は、送風制御手段が第１発明および第２発明と異なっている。すなわち、第３発明の送風制御手段は、加熱乾燥手段による加熱乾燥の開始から終了まで前記送風手段を断続的に動作させるとともに、一定の温度に到達するまで、前記動作時間を徐々に長くし、前記一定の温度に到達した後、連続的に動作する。すなわち、第３発明の食器洗浄乾燥装置は、庫内に湯気が残っている時間帯において、風量を抑えるように制御して、湯気を徐々に排出している。
【００２１】
（第４発明）
第４発明の食器洗浄乾燥装置は、送風制御手段が第１発明から第３発明と異なっている。すなわち、第４発明の送風制御手段は、加熱乾燥手段による加熱乾燥の開始から終了まで前記送風手段を断続的に動作させるとともに、一定の時間が経過するまで、前記動作時間を徐々に長くし、前記一定時間経過後、連続的に動作する。第４発明の送風制御手段は、湯気がある程度減少した時間に、送風量を増加して一気に排出するように制御する。
【００２２】
（第５発明）
第５発明の食器洗浄乾燥装置は、第１発明から第４発明における送風手段がファンモータからなり、送風量を位相制御により回転制御している。
【００２３】
（第６発明）
第６発明の食器洗浄乾燥制御方法は、洗い工程と、すすぎ工程と、加熱乾燥工程とを少なくとも有し、これらの工程がシーケンス制御により処理されている。食器等の洗いおよび／またはすすぎ工程は、洗い（予洗い、本洗い）、すすぎ（水すすぎ、湯すすぎ）処理を行うために、洗浄槽内へ水を供給する給水弁が制御されるとともに、前記水および空気が加熱制御される。
【００２４】
加熱乾燥工程は、前記洗浄槽内の空気の温度を加熱するとともに、送風手段が加熱乾燥開始から終了まで断続的に動作し、時間の経過とともに徐々に動作時間を長くするように制御される。前記加熱乾燥工程における送風手段の制御は、庫内の湿気が多い時に少しずつ排気し、湿気が少なくなってから、残りの湯気を庫外に強制的に排出する。
【００２５】
（第７発明）
第７発明の食器洗浄乾燥制御方法は、送風手段の制御が第６発明と異なっている。すなわち、第７発明の送風手段の制御は、加熱乾燥工程において、洗浄槽内の空気の温度を加熱するとともに、送風手段が加熱乾燥開始から終了まで断続的に動作し、時間の経過とともに徐々に動作時間を長くし、所定の時間の経過または所定の温度に到達した以後、連続的に送風するように制御される。第７発明は、第６発明と比較して、湯気を最後に早く庫外に排出する。
【実施例１】
【００２６】
図１は本発明の実施例である食器洗浄乾燥装置を説明するための概略構成図である。図１において、食器洗浄乾燥装置は、食器洗浄乾燥室１１と、加熱乾燥を行うヒータ１２と、洗浄およびすすぎ水等を前記食器洗浄乾燥室１１に供給するポンプ１３と、乾燥のために温度の高い風を送るファンモータ１４と、前記ヒータ１２、ポンプ１３、ファンモータ１４等を制御する制御装置１５とから少なくとも構成されている。食器洗浄乾燥室１１内には、ブーメラン形状の水または湯を噴出する噴出部１１２、１１３が設けられている。
【００２７】
前記制御装置１５は、食器洗浄乾燥室１１内の温度を検出する温度検出手段１５１および水位を検出する水位検出手段１５２からの情報に基づいて、食器洗浄乾燥室１１内の温度および水を所定の水位まで供給するように給水弁１５３を制御する。また、前記表示操作部１５５は、水の供給、予洗い、本洗い、水すすぎ、湯すすぎ、加熱乾燥等の時間を任意に設定するとともに、これらを表示部によりユーザが確認することができる。
【００２８】
スピーカ１５４は、前記表示操作部１５５により設定した状態を音声等によりユーザに知らせるためのものである。さらに、前記表示操作部１５５は、設定により、洗いだけあるいはすすぎだけを選択することもできる。又、必要に応じて、前記表示操作部１５５は、洗い、すすぎ、加熱乾燥の温度、時間等を任意に選択することもできる。
【００２９】
たとえば、コースには、標準、念入り、快速がある。前記標準コースは、たとえば、洗い５７℃、１分の水すすぎ２回、７０℃の湯すすぎ、７０℃２０分の乾燥である。念入りコースは、たとえば、洗い５７℃、１分の水すすぎ３回、７０℃の湯すすぎ、７０℃３０分の乾燥である。快速コースは、たとえば、洗い５０℃、１分の水すすぎ２回、５０℃の湯すすぎ、７０℃１０分の乾燥である。
【実施例２】
【００３０】
図２（イ）および（ロ）は本発明の実施例である食器洗浄乾燥装置におけるファンモータの通電波形および庫内制御風量を説明するための図である。図２（イ）において、ファンモータ１４の通電時間は、ｔ１＜ｔ２＜ｔ３と徐々に長くなるように、制御装置１５により制御される。加熱乾燥において、ファンモータ１４は、通電時間をｔ１とすることで、庫内制御風量がｍ０からｍ１になる。
【００３１】
次に、加熱乾燥において、ファンモータ１４は、通電時間をｔ２とすることで、庫内制御風量がｍ１からｍ２に増加し、乾燥を迅速に行うようになる。その後、ファンモータ１４は、通電時間をさらに長くｔ３とすることで、庫内制御風量をｍ２からｍ３に増加し、残りの乾燥した空気を一気に排気する。
【００３２】
図２（ロ）において、ファンモータ１４の通電時間は、ｔ１＜ｔ２＜ｔ３と徐々に長くした後、連続にし、図２（イ）より、残りの乾燥した空気をさらに強く強制排気する。前記強制排気は、予め設定された時間後、あるいは予め設定された庫内温度に到達した後に行う。
【００３３】
図３は本発明における食器洗浄乾燥装置の一実施例を説明するためのフローチャートである。図３において、食器洗浄乾燥装置は、図１の表示操作部１５５の設定を終了した後、図示されていない開始ボタンを押すことにより運転が開始される（ステップ３１１）。洗浄工程は、前記運転開始の指示を受けると、制御装置１５により給水弁１５３が開き、庫内に水の給水が開始される（ステップ３１２）。
【００３４】
前記制御装置１５は、庫内の水位を前記水位検出手段１５２により監視しており、所定水位に達したか否かを調べる（ステップ３１３）。前記制御装置１５は、庫内の水位が所定の水位に達していないと判断した場合、給水を継続する。前記制御装置１５は、所定の水位に達したと判断した場合、給水弁１５３を閉鎖し、給水を終了する（ステップ３１４）。次に、前記制御装置１５は、ポンプ１３を回転させ、庫内の水を庫内の上下に設けられたブーメラン形状の噴出部１１２、１１３に加圧して供給し、予洗い工程を開始する（ステップ３１５）。
【００３５】
前記制御装置１５は、ヒータ１２により、水を加熱するとともに、ポンプ１３を回転させて、庫内の水を庫内上下に設けられたブーメラン形状の噴出部１１２、１１３に加圧し、供給することで、本洗い工程を開始する（ステップ３１６）。前記本洗い工程は、水温が目標温度に達するまで継続される。前記制御装置１５は、前記水温が目標温度に達したか否かを調べる（ステップ３１７）。前記制御装置１５は、前記水温が目標温度に達していないと判断した場合、加熱を継続する。
【００３６】
前記制御装置１５は、前記水温が目標温度に達したと判断した場合、前記ヒータ１２の加熱を停止するとともに、ポンプ１３を逆回転させることにより、給水を排水に変える（ステップ３１８、３１９）。前記水すすぎ工程は、本洗い工程と同様に動作するが、本洗い工程と異なり、目標温度の設定を低くするか、あるいはヒータ１２をオンせずに、一定時間継続する。
【００３７】
湯すすぎ工程は、本洗い工程とほとんど同様に動作するが、目標温度を高めに設定している。水温が５５℃程度まで上昇すると、庫内の湯気は、発生し始める。運転コース毎に湯すすぎの目標温度は、異なるため、湯すすぎの目標温度が５５℃より低いコースでは湯気が発生しないが、５５℃以上の場合、湯気が発生する。
【００３８】
加熱乾燥工程は、水を給水せずに、ヒータ１２とファンモータ１４を駆動して、温風で食器類の乾燥を行う。前記乾燥方法は、庫内温度を比較的低い温度（たとえば、７０℃）で一定に保ち、時間を規定しておく方法と、高温（たとえば、９０℃）となるまで継続する方法がある。湯すすぎ工程の終了直後は、庫内にまだ湯気が多く残されているため、加熱乾燥工程開始から少しずつファンモータ１４の制御風量を大きくして、庫内の空気と湯気を徐々に排出する（ステップ３２０）。
【００３９】
風量制御は、ファンモータ１４を使用し位相制御を利用することにより、制御が容易になる。加熱乾燥開始時は、通電を短くすることで、制御風量を抑え、経過時間と共に通電時間を長くすることで、ファンモータ１４の制御風量を大きくする。湯気が無くなるタイミングであれば、庫内の制御風量は、通常の風量となっても問題がない。
【００４０】
前記制御装置１５は、所定の時間を経過したか否かを調べる（ステップ３２１）。前記制御装置１５は、一定の時間内であれば、制御風量を少しずつ大きくしてファンモータ１４を回転させる。前記制御装置１５は、所定の時間を経過したと判断した場合、運転を終了する（ステップ３２２）。
【００４１】
図４は本発明における食器洗浄乾燥装置の一実施例を説明するためのフローチャートである。図４において、食器洗浄乾燥装置は、ステップ４２１において図３と異なる。すなわち、ステップ４２１において、前記制御装置１５は、庫内温度が所定の温度になったと判断した場合、運転を終了する。
【００４２】
図５は本発明における食器洗浄乾燥装置の一実施例を説明するためのフローチャートである。図５において、食器洗浄乾燥装置は、ステップ５２２およびステップ５２３において、図４と異なっている。すなわち、ステップ４２１と、ステップ５２２およびステップ５２３において、前記制御装置１５は、ファンモータ１４の制御を所定時間経過後、間欠制御から連続制御に切り換えた後、所定の時間または所定の温度になった時点で運転を終了する。
【００４３】
図６は本発明における食器洗浄乾燥装置の一実施例を説明するためのフローチャートである。図６において、食器洗浄乾燥装置は、ステップ３２１が図３と同じで、ステップ５２２およびステップ５２３が図５と同じである。すなわち、ステップ３２１と、ステップ５２２およびステップ５２３において、前記制御装置１５は、ファンモータ１４の制御を所定温度に達した後、間欠制御から連続制御に切り換えた後、所定の時間または所定の温度に到達した時点で、運転を終了する。
【産業上の利用可能性】
【００４４】
以上、本発明の実施例を詳述したが、本発明は、前記実施例に限定されるものではなく、特許請求の範囲に記載された事項を逸脱することがなければ、種々の設計変更を行うことが可能である。本実施例に記載されているブロック構成図の内部は、公知または周知の技術によって達成されるものである。本実施例における食器洗浄乾燥装置の庫内、ヒータ、ポンプ、ファンモータ、制御装置等は、公知または周知のものを利用することができる。
【図面の簡単な説明】
【００４５】
【図１】本発明の実施例である食器洗浄乾燥装置を説明するための概略構成図である。（実施例１）
【図２】（イ）および（ロ）は本発明の実施例である食器洗浄乾燥装置におけるファンモータの通電波形および庫内制御風量を説明するための図である。（実施例２）
【図３】本発明における食器洗浄乾燥装置の一実施例を説明するためのフローチャートである。
【図４】本発明における食器洗浄乾燥装置の一実施例を説明するためのフローチャートである。
【図５】本発明における食器洗浄乾燥装置の一実施例を説明するためのフローチャートである。
【図６】本発明における食器洗浄乾燥装置の一実施例を説明するためのフローチャートである。
【符号の説明】
【００４６】
１１・・・食器洗浄乾燥室
１２・・・ヒータ
１３・・・ポンプ
１４・・・ファンモータ
１５・・・制御装置
１５１・・・温度検出手段
１５２・・・水位検出手段
１５３・・・給水弁
１５４・・・スピーカ
１５５・・・表示操作部
【図１】
2006110151.tif 000003
【図２】
2006110151.tif 000004
【図３】
2006110151.tif 000005
【図４】
2006110151.tif 000006
【図５】
2006110151.tif 000007
【図６】
2006110151.tif 000008